(57)【要約】      （修正有）【課題】ペットの体型や姿勢に合わせてクッションの態様を変化させて、ペットの身体を包み込むことができるペット用クッションを提供する。【解決手段】略矩形のカバー体１１の内部に緩衝部材１２が収容されてクッション本体１を形成する一方、前記カバー体１１の周縁近傍には、少なくとも各隅角部および対辺に止着片２・２…を設け、これらの止着片２同士を止着して各部を合着可能に構成し、前記カバー体11の対辺同士に設けられた止着片２を互いに止着結合させることによって、前記クッション本体１の上面に巻き囲いによる円筒型を形成可能にする一方、同クッション本体１のカバー体１１における隣向する３つの隅角部の止着片２・２・２同士を互いに止着結合させることによって、当該クッション本体１の上面に３面を略三角の囲壁１１′・１１′・１１′に囲われる四角錐型Ｔを形成可能に構成する。【選択図】図５
0003143655.tif 000002
【実用新案登録請求の範囲】
【請求項１】
略矩形のカバー体11の内部に緩衝部材12が収容されてクッション本体１が形成されている一方、
前記カバー体11の周縁近傍には、少なくとも各隅角部および対辺に止着片２・２…が設けられており、これらの止着片２同士を止着して各部を合着可能に構成されており、
前記カバー体11の対辺同士に設けられた止着片２を互いに止着結合させることによって、前記クッション本体１の上面に巻き囲いによる円筒型Ｒを形成可能である一方、
同クッション本体１のカバー体11における隣向する３つの隅角部の止着片２・２・２同士を互いに止着結合させることによって、当該クッション本体１の上面に３面を略三角の囲壁11′・11′・11′に囲われる四角錐型Ｔを形成可能に構成したことを特徴とするペット用クッション。
【請求項２】
クッション本体１におけるカバー体11の生地に遠赤外線放射シート13が一体に合接されていることを特徴とする請求項１記載のペット用クッション。
【請求項３】
止着片２が雌雄一対に嵌合するホック部材であって、これらの止着片２を嵌合して止着結合可能であることを特徴とする請求項１または２記載のペット用クッション。
【請求項４】
クッション本体１におけるカバー体11の隅角部の一つに雌雄同体のホック部材が設けられており、他の隅角部のホック部材と止着結合可能にしたことを特徴とする請求項３記載のペット用クッション。
【請求項５】
クッション本体１に把手ヒモ３が配設されており、この把手ヒモ３を把持してクッション本体１を支持可能にしたことを特徴とする請求項１〜４の何れか一つに記載のペット用クッション。
【請求項６】
クッション本体１の隅角部を丸め折り畳んだ状態に保持可能な止め部材４を設けたことを特徴とする請求項１〜５の何れか一つに記載のペット用クッション。
【請求項７】
クッション本体１におけるカバー体11の表面に抗菌剤、防臭剤、撥水剤、光触媒、防ダニ剤の少なくとも一つがコーティングされていることを特徴とする請求項１〜６の何れか一つに記載のペット用クッション。
【考案の詳細な説明】
【技術分野】
【０００１】
本考案は、ペット用品の改良、更に詳しくは、ペットの体型や姿勢に合わせてクッションの態様を変化させて、ペットの身体を包み込むことができ、要に臨んでは、クッション生地が遠赤外線を放射して、ペットに対する保温性を向上せしめるペット用クッションに関するものである。
【背景技術】
【０００２】
最近では、犬や猫などのペット（愛玩動物）を室内で飼う家庭が増加しており、家族の一員として、人間と同じような待遇がなされている。
【０００３】
例えば、ペットが部屋にいるときには、床面の上に敷物やクッションを敷いて、そこに座らせたりすることから、ペット用の敷物も開発されるに至っている（例えば、特許文献１および２参照）。
【０００４】
しかしながら、これらの敷物は、床面に対する体温の放熱を遮断することによって、脚元や腹面などを保温することは認められるが、それ以外の開放部位からの放熱によりペットの身体が冷えてしまうという問題があった。
【０００５】
また、ペットとの生活においては、散歩は勿論のこと、比較的小型の小動物が好まれていることもあり、何処にでも一緒に連れて外出する機会が多くなってきており、この場合には、ペットを歩かせるよりも直接抱えて持ち運んでいる。
【０００６】
したがって、このような場面にも対応できるペット用品として、室内での使用に止まらず、屋外においても使い勝手の良いような携帯性も求められている。
【特許文献１】登録実用新案第３０６６９７５号公報（第４頁、図１−２）
【特許文献２】特開２０００−４１７８７号公報（第２−３頁、図１−５）
【考案の開示】
【考案が解決しようとする課題】
【０００７】
本考案は、従来のペット用品に上記のような不満があったことに鑑みて為されたものであり、その目的とするところは、ペットの体型や姿勢に合わせてクッションの態様を変化させて、ペットの身体を包み込むことができ、要に臨んで、クッション生地が遠赤外線を放射して、ペットに対する保温性を向上せしめるペット用クッションを提供することにある。
【課題を解決するための手段】
【０００８】
本考案者が上記課題を解決するために採用した手段を添付図面を参照して説明すれば次のとおりである。
【０００９】
即ち、本考案は、略矩形のカバー体11の内部に緩衝部材12が収容されてクッション本体１を形成する一方、前記カバー体11の周縁近傍には、少なくとも各隅角部および対辺に止着片２・２…を設け、これらの止着片２同士を止着して各部を合着可能に構成し、
前記カバー体11の対辺同士に設けられた止着片２を互いに止着結合させることによって、前記クッション本体１の上面に巻き囲いによる円筒型Ｒを形成可能にする一方、
同クッション本体１のカバー体11における隣向する３つの隅角部の止着片２・２・２同士を互いに止着結合させることによって、当該クッション本体１の上面に３面を略三角の囲壁11′・11′・11′に囲われる四角錐型Ｔを形成可能に構成するという技術的手段を採用した。
【００１０】
また、本考案は、上記課題を解決するために、必要に応じて上記手段に加え、クッション本体１におけるカバー体11の生地に遠赤外線放射シート13を一体に合接するという技術的手段を採用した。
【００１１】
更にまた、本考案は、上記課題を解決するために、必要に応じて上記手段に加え、止着片２を雌雄一対に嵌合するホック部材にして、これらの止着片２を嵌合して止着結合可能にするという技術的手段を採用した。
【００１２】
更にまた、本考案は、上記課題を解決するために、必要に応じて上記手段に加え、クッション本体１におけるカバー体11の隅角部の一つに雌雄同体のホック部材を設け、他の隅角部のホック部材と止着結合可能にするという技術的手段を採用した。
【００１３】
更にまた、本考案は、上記課題を解決するために、必要に応じて上記手段に加え、クッション本体１に把手ヒモ３を配設して、この把手ヒモ３を把持してクッション本体１を支持可能にするという技術的手段を採用した。
【００１４】
更にまた、本考案は、上記課題を解決するために、必要に応じて上記手段に加え、クッション本体１の隅角部を丸め折り畳んだ状態に保持可能な止め部材４を設けるという技術的手段を採用した。
【００１５】
更にまた、本考案は、上記課題を解決するために、必要に応じて上記手段に加え、クッション本体１におけるカバー体11の表面に抗菌剤、防臭剤、撥水剤、光触媒、防ダニ剤の少なくとも一つをコーティングするという技術的手段を採用した。
【考案の効果】
【００１６】
本考案にあっては、略矩形のカバー体の内部に緩衝部材を収容してクッション本体を形成する一方、前記カバー体の周縁近傍には、少なくとも各隅角部および対辺に止着片を設け、これらの止着片同士を止着して各部を合着可能に構成したことにより、
前記カバー体の対辺同士に設けられた止着片を互いに止着結合させることによって、前記クッション本体の上面に巻き囲いによる円筒型を形成可能にする一方、同クッション本体のカバー体における隣向する３つの隅角部の止着片同士を互いに止着結合させることによって、当該クッション本体の上面に３面を略三角の囲壁に囲われる四角錐型Ｔを形成可能に構成することができる。
【００１７】
したがって、本考案のペット用クッションによれば、ペットの体型や姿勢に合わせてクッションの態様を変化させて、ペットの身体を包み込むことができる。また、クッション本体におけるカバー体の生地に遠赤外線放射シートを一体に合接することによって、クッション本体１の構造上の保温性に加え、温熱効果を更に向上してペットの体温低下を効果的に防止することができる。
【００１８】
更にまた、要すれば、クッションごと容易に運搬できるようにして持ち運びにも便利にできることから、ペット用品としての実用的利用価値は頗る高いと云える。
【考案を実施するための最良の形態】
【００１９】
本考案を実施するための最良の形態を具体的に図示した図面に基づいて更に詳細に説明すると、次のとおりである。
【００２０】
本考案の実施形態を図１から図７に基づいて説明する。図１中、符号１で指示するものはクッション本体であり、このクッション本体１は、略矩形のカバー体11の内部に緩衝部材12を収容して形成されている。
【００２１】
本実施形態では、カバー体11の素材は、例えば、綿とポリエステルとの混合繊維糸で織成した織物を採用することができ、ペットの体毛や汚れを付着し難くすることができる。また、緩衝部材12としては、綿やスポンジ状の発泡樹脂、低反発ウレタンなどの柔軟性のあるものを採用することができる。
【００２２】
また、本実施形態では、特に、クッション本体１におけるカバー体11の生地に遠赤外線放射シート13を一体に合接することが好適であり、クッション本体１の構造上の保温性に加え、温熱効果を更に向上してペットの体温低下を効果的に防止することができる。
【００２３】
また、符号２で指示するものは止着片であり、この止着片２は、対を為して互いに止着結合することができる部材であって、本実施形態では、雌雄一対に嵌合するホック部材を採用する。
【００２４】
しかして、本考案のクッションを構成するにあっては、まず、略矩形のカバー体11の内部に緩衝部材12を収容してクッション本体１を形成する（図２参照）。
【００２５】
次に、前記カバー体11の周縁近傍には、少なくとも各隅角部および対辺に止着片２・２…を設ける。本実施形態では、各隅角部およびこれらの略中間地点の６箇所に設け、後述四角錐型の形成のために、隅角部の一つには雌雄同体のホック部材を設ける。
【００２６】
然る後、これらの止着片２同士を止着して各部を合着することができ、以下の二つの態様を構成することができる。
【００２７】
＜円筒型態様＞
まず、図３に示すように、前記カバー体11の対辺同士に設けられた止着片２を互いに止着結合させることによって、前記クッション本体１の上面に巻き囲いによる円筒型Ｒを形成することができる。
【００２８】
この態様によれば、図４に示すように、ペットの身体を全体的に覆うことができ、ペットの体温低下を効果的に防止することができるとともに、ペットに対して飼い主とのスキンシップも体感させることができる。
【００２９】
また、クッション本体１におけるカバー体11の生地に遠赤外線放射シート13を一体に合接したものであれば、クッション本体１がペットの身体を包んで暖気をクッション内に留める保温性に加え、温熱効果を更に向上してペットの体温低下をより効果的に防止することができる。
【００３０】
＜四角錐型態様＞
次に、図５に示すように、クッション本体１のカバー体11における隣向する３つの隅角部の止着片２・２・２同士を互いに止着結合させることによって、当該クッション本体１の上面に３面を略三角の囲壁11′・11′・11′に囲われた四角錐型Ｔを形成することができる。
【００３１】
本態様を形成する際にホック部材を採用する場合は、クッション本体１におけるカバー体11の隅角部の一つに雌雄同体のホック部材を設け、これらのホック部材と他の隅角部のホック部材と止着結合することによって３つの隅角部を頂点に寄せ集めて合着することができる。
【００３２】
この態様によれば、図６に示すように、ペットは些程身体を拘束されず比較的余裕を持ってリラックス状態で座ることができて、良好な座り心地を体感することができ、また、上半身だけを露出させることにより、外観的にもペットの愛くるしさをより引き立たせることができる。
【００３３】
なお、この態様においても、クッション本体１におけるカバー体11の生地に遠赤外線放射シート13を一体に合接したものであれば、クッション本体１がペットの身体を包んで暖気をクッション内に留める保温性に加え、温熱効果を更に向上してペットの体温低下をより効果的に防止することができる。
【００３４】
なお、止着片２を適宜面ファスナに設計変更することができ、例えば、ベルクロテープ（登録商標）を採用することができる。この際、ペットの体毛が絡んだり付着し難い表面構造のものを採用することが好ましい。
【００３５】
なお、本実施形態では、図７に示すように、クッション本体１に把手ヒモ３を配設することができ、この把手ヒモ３を把持してクッション本体１を支持することができ、ペットを外出に連れ出す際の持ち運びに便利である。
【００３６】
また、本実施形態では、図８および図９に示すように、特に、四角錐型態様の際に、クッション本体１の隅角部を丸め折り畳んだ状態に保持可能な止め部材４を設けることができる。この止め部材４の先端には、ホックや面ファスナなどの止め具41を配設し、クッション本体１の上面に止着することができる。
【００３７】
このようにして隅角部を丸め折り畳んで作出された部分は、枕のようになって、ペットが頭や顎を載せて寝そべることができる（図９参照）。
【００３８】
更にまた、必要に応じて、本実施形態では、クッション本体１におけるカバー体11の表面に抗菌剤、防臭剤、撥水剤、光触媒、防ダニ剤の少なくとも一つをコーティングすることもでき、機能性を向上させることができる。
【００３９】
本考案は、概ね上記のように構成されるが、本考案は図示の実施形態に限定されるものでは決してなく、「実用新案登録請求の範囲」の記載内において種々の変更が可能であって、例えば、クッション本体１のカバー体11の素材を変更したり模様を付すことができるし、緩衝部材12の材料を変更することもできる。
【００４０】
また、止着片２の種類や数量、配設位置なども適宜変更することができ、例えば、クッション本体１の辺部に列設し、四角錐型態様において接辺部にできる隙間を埋めて止着できるようにすることもでき、これら何れのものも本考案の技術的範囲に属する。
【図面の簡単な説明】
【００４１】
【図１】本考案の実施形態のクッションを表わす斜視図である。
【図２】本考案の実施形態のクッションを表わす断面図である。
【図３】本考案の実施形態のクッションの円筒型態様を表わす斜視図である。
【図４】本考案の実施形態のクッションの円筒型態様の使用状態を表わす側面図である。
【図５】本考案の実施形態のクッションの四角錐型態様を表わす斜視図である。
【図６】本考案の実施形態のクッションの四角錐型態様の使用状態を表わす側面図である。
【図７】本考案の実施形態のクッションの変形例を表わす斜視図である。
【図８】本考案の実施形態のクッションの四角錐型態様の変形例を表わす斜視図である。
【図９】本考案の実施形態のクッションの四角錐型態様の変形例の使用状態を表わす側面図である。
【符号の説明】
【００４２】
１    クッション本体
11    カバー体
11′  囲壁
12    緩衝部材
13    遠赤外線放射シート
２    止着片
３    把手ヒモ
４    止め部材
41    止め具
Ｒ    円筒型
Ｔ    四角錐型
【図１】
0003143655.tif 000003
【図２】
0003143655.tif 000004
【図３】
0003143655.tif 000005
【図４】
0003143655.tif 000006
【図５】
0003143655.tif 000007
【図６】
0003143655.tif 000008
【図７】
0003143655.tif 000009
【図８】
0003143655.tif 000010
【図９】
0003143655.tif 000011